(57)【特許請求の範囲】
【請求項１】
一側辺に開口部（１４）を有する略四角形袋体状の表表紙（１１）と、
前記表表紙（１１）の開口部（１４）側に設けられ、一対の貫通孔からなる第１の綴じ孔（１６）を有し紙葉類を綴じるための第１の綴じ片（１５）と、
前記表表紙（１１）の開口部（１４）から袋体内部に、その側端部が挿入可能な略四角形の背表紙（１３）と、
前記背表紙（１３）に連接して一体に形成され、前記背表紙（１３）の挿入方向に内部を貫通する空間を有する略四角形の裏表紙（１２）と、
前記背表紙（１３）と前記裏表紙（１２）との連接部（２０）に設けられ、一対の貫通孔からなる第２の綴じ孔（１８）を有し前記第１の綴じ片（１５）とともに紙葉類を綴じるための第２の綴じ片（１７）と、
前記表表紙（１１）の袋体内部を貫通し、一端が前記背表紙（１３）の側端部に固着され、他端が前記表表紙（１１）の開口部（１４）側と反対側の端部近傍に設けられた貫通孔（１９）を貫通して外部に引き出されるように取り付けられた第１の外紐（３１）と、
前記裏表紙（１２）の空間内部を貫通し、一端が外部に引き出されるように取り付けられた第２の外紐（３３）と、
前記第２の外紐（３３）の他端に、その一端が結合され、前記第２の綴じ片（１７）の前記第２の綴じ孔（１８）を挿通するように取り付けられた内綴じ紐（３４）と、
より構成されることを特徴とするファイル。
【請求項２】
一側辺に開口部（１４）を有する略四角形袋体状の表表紙（１１）と、
前記表表紙（１１）の開口部（１４）側に設けられ、一対の貫通孔からなる第１の綴じ孔（１６）を有し紙葉類を綴じるための第１の綴じ片（１５）と、
前記表表紙（１１）の開口部（１４）から袋体内部に、その側端部が挿入可能な略四角形の背表紙（１３）と、
前記背表紙（１３）に連接して一体に形成され、前記背表紙（１３）の紙面のほぼ中央を貫通する貫通孔（３５）を有する略四角形の裏表紙（１２）と、
前記背表紙（１３）と前記裏表紙（１２）との連接部（２０）に設けられ、一対の貫通孔からなる第２の綴じ孔（１８）を有し前記第１の綴じ片（１５）とともに紙葉類を綴じるための第２の綴じ片（１７）と、
前記表表紙（１１）の袋体内部を貫通し、一端が前記背表紙（１３）の側端部に固着され、他端が前記表表紙（１１）の開口部（１４）側と反対側の端部近傍に設けられた貫通孔（１９）を貫通して外部に引き出されるように取り付けられた第１の外紐（３１）と、
前記裏表紙（１２）の前記貫通孔（３５）を貫通し、一端が外部に引き出されるように取り付けられた第２の外紐（３３）と、
前記第２の外紐（３３）の他端に、その一端が結合され、前記第２の綴じ片（１７）の前記第２の綴じ孔（１８）を挿通するように取り付けられた内綴じ紐（３４）と、
より構成されることを特徴とするファイル。
【請求項３】
前記内綴じ紐（３４）は、紙葉類（Ｐ）が前記第１の綴じ片（１５）と前記第２の綴じ片（１７）との間に挟まれた状態で、一対の紐先端が、前記第２の綴じ孔（１８）を挿通されたのに続いて、前記紙葉類（Ｐ）の綴じ孔及び前記第１の綴じ孔（１６）に順次挿通されてから先端部が結合されることを特徴とする請求項１または２に記載のファイル。
【請求項４】
前記内綴じ紐（３４）は、両先端を結んで綴じ込んだ状態において、両先端の結合部とは反対側については、前記第２の外紐（３３）との結合部までの長さに余裕長さがあることを特徴とする請求項３に記載のファイル。
【請求項５】
前記第１の外紐（３１）及び前記第２の外紐（３３）は、前記紙葉類（Ｐ）が綴じ込められた状態で、外部に引き出された前記第１及び第２の外紐（３１，３３）の紐先端同士が結ばれることを特徴とする請求項１または２に記載のファイル。
【発明の詳細な説明】
【技術分野】
【０００１】
本発明は、書類等の紙葉類の増減に対応して背表紙の幅を可変でき、かつ表表紙及び裏表紙が開放しないように結合するファイルに関する。
【背景技術】
【０００２】
従来、この種のファイルは、表表紙、裏表紙、及び背表紙により構成され、表表紙を袋体状に構成して背表紙の側端部を挿入可能にし、背表紙と裏表紙とを連接して一体に形成しているとともに、綴じる紙葉類量の増減に対応して背表紙の幅を可変できるようにしたファイルが記載されている（例えば、特許文献１参照）。
【０００３】
ファイルの表表紙及び裏表紙を閉じた後に、表表紙及び裏表紙が開放しないように結合する開放防止手段を備えたファイルが記載されている（例えば、特許文献２参照）。
【０００４】
また、上記したように綴じる紙葉類量の増減に対応して背表紙の幅を可変できるファイルに、表表紙及び裏表紙が開放しないように結合する結合紐を具備したファイルが商品化されている。
【先行技術文献】
【特許文献】
【０００５】
【特許文献１】特開２００８−０８０５７４号公報
【特許文献２】実開平３−１０３７７３号公報
【発明の概要】
【発明が解決しようとする課題】
【０００６】
しかしながら、背表紙の幅を可変でき、かつ表紙の結合紐を具備したファイルは、紙葉類を綴じるための紐状や帯状の綴じ足などの紙葉類綴じ込み手段の系統と、表表紙及び裏表紙が開放しないように結合するための結び紐などの表紙結合手段の系統とが独立して操作されるように設けられている。
【０００７】
そのため、例えば、綴じ込んだ紙葉類を平らに開いて見たり、コピー機の原稿台に置いたりする場合には、まず、表紙結合手段の結び紐などをほどいて、表表紙及び裏表紙を開放してから、次に、紙葉類綴じ込み手段の綴じ足などを外すという２段階の操作が必要になり、紙葉類を平らに開いて見る場合には操作に手間が掛かるという課題があった。
【０００８】
本発明は、上述した課題を解決するものであり、その目的は、紙葉類を平らに開いて見る場合に一度の結び目をほどく操作だけで手間を掛けずに簡単に見たり、閉じたりすることができるファイルを提供することにある。
【課題を解決するための手段】
【０００９】
上記目的を達成するため、本発明は、一側辺に開口部（１４）を有する略四角形袋体状の表表紙（１１）と、前記表表紙（１１）の開口部（１４）側に設けられ、一対の貫通孔からなる第１の綴じ孔（１６）を有し紙葉類を綴じるための第１の綴じ片（１５）と、前記表表紙（１１）の開口部（１４）から袋体内部に、その側端部が挿入可能な略四角形の背表紙（１３）と、前記背表紙（１３）に連接して一体に形成され、前記背表紙（１３）の挿入方向に内部を貫通する空間を有する略四角形の裏表紙（１２）と、前記背表紙（１３）と前記裏表紙（１２）との連接部（２０）に設けられ、一対の貫通孔からなる第２の綴じ孔（１８）を有し前記第１の綴じ片（１５）とともに紙葉類を綴じるための第２の綴じ片（１７）と、前記表表紙（１１）の袋体内部を貫通し、一端が前記背表紙（１３）の側端部に固着され、他端が前記表表紙（１１）の開口部（１４）側と反対側の端部近傍に設けられた貫通孔（１９）を貫通して外部に引き出されるように取り付けられた第１の外紐（３１）と、前記裏表紙（１２）の空間内部を貫通し、一端が外部に引き出されるように取り付けられた第２の外紐（３３）と、前記第２の外紐（３３）の他端に、その一端が結合され、前記第２の綴じ片（１７）の前記第２の綴じ孔（１８）を挿通するように取り付けられた内綴じ紐（３４）と、より構成されることを特徴とする。
また、本発明は、一側辺に開口部（１４）を有する略四角形袋体状の表表紙（１１）と、前記表表紙（１１）の開口部（１４）側に設けられ、一対の貫通孔からなる第１の綴じ孔（１６）を有し紙葉類を綴じるための第１の綴じ片（１５）と、前記表表紙（１１）の開口部（１４）から袋体内部に、その側端部が挿入可能な略四角形の背表紙（１３）と、前記背表紙（１３）に連接して一体に形成され、前記背表紙（１３）の紙面のほぼ中央を貫通する貫通孔（３５）を有する略四角形の裏表紙（１２）と、前記背表紙（１３）と前記裏表紙（１２）との連接部（２０）に設けられ、一対の貫通孔からなる第２の綴じ孔（１８）を有し前記第１の綴じ片（１５）とともに紙葉類を綴じるための第２の綴じ片（１７）と、前記表表紙（１１）の袋体内部を貫通し、一端が前記背表紙（１３）の側端部に固着され、他端が前記表表紙（１１）の開口部（１４）側と反対側の端部近傍に設けられた貫通孔（１９）を貫通して外部に引き出されるように取り付けられた第１の外紐（３１）と、前記裏表紙（１２）の前記貫通孔（３５）を貫通し、一端が外部に引き出されるように取り付けられた第２の外紐（３３）と、前記第２の外紐（３３）の他端に、その一端が結合され、前記第２の綴じ片（１７）の前記第２の綴じ孔（１８）を挿通するように取り付けられた内綴じ紐（３４）と、より構成されることを特徴とする。
【００１０】
上記態様では、前記内綴じ紐（３４）は、紙葉類（Ｐ）が前記第１の綴じ片（１５）と前記第２の綴じ片（１７）との間に挟まれた状態で、一対の紐先端が、前記第２の綴じ孔（１８）を挿通されたのに続いて、前記紙葉類（Ｐ）の綴じ孔及び前記第１の綴じ孔（１６）に順次挿通されてから先端部が結合されることが好ましい。これにより、紙葉類（Ｐ）が第１の綴じ片（１５）と第２の綴じ片（１７）との間に挟まれて綴じ込まれる。
【００１１】
上記態様では、前記内綴じ紐（３４）は、両先端を結んで綴じ込んだ状態において、両先端の結合部とは反対側については、前記第２の外紐（３３）との結合部までの長さに余裕長さがあることが好ましい。これにより、紙葉類（Ｐ）を平らに開いて見るようにする場合に、内綴じ紐（３４）の両先端を結合して綴じ込んだ状態で、背表紙（１３）を表表紙（１１）の袋体内部から引き出すことが可能になる。
【００１２】
上記態様では、前記第１の外紐（３１）及び前記第２の外紐（３３）は、前記紙葉類（Ｐ）が綴じ込められた状態で、外部に引き出された前記第１及び第２の外紐（３１，３３）の紐先端同士が結ばれることが好ましい。これにより、表表紙（１１）と裏表紙（１２）とが開放しないように結合できる。
【発明の効果】
【００１３】
本発明によれば、内綴じ紐の一対の紐先端が結ばれることで紙葉類が結束して綴じ込められ、第１の外紐及び第２の外紐の紐先端同士が結ばれることで、表表紙と裏表紙とが開放しないように結合されるため、紙葉類の綴じ込みと表紙の結合ができる。
【００１４】
また、第１の外紐及び第２の外紐の紐先端同士の結びをほどくことで、一度の操作だけで、表表紙と裏表紙との結合を開放し、同時に綴じ込められた状態の紙葉類の結束が緩むため、紙葉類を平らに開いて見る場合に一度の操作だけで手間を掛けずに簡単に見たり、閉じたりすることができる。
【図面の簡単な説明】
【００１５】
【図１】本発明の一実施形態に係るファイルの構成部材を展開した状態を示す斜視図である。
【図２】図１におけるＡ−Ａ断面図である。
【図３】外紐３１の固着方法の説明図である。
【図４】本発明の一実施形態に係るファイルの構成部材を組み合わせ、紙葉類を綴じ込んだ状態を示す斜視図である。
【図５】図４におけるＢ−Ｂ断面図である。
【図６】本発明の一実施形態に係るファイルに紙葉類を綴じ込み、表紙を閉じた状態を示す斜視図である。
【図７】図６におけるＣ−Ｃ断面図である。
【図８】本発明の一実施形態に係るファイルで紙葉類を平らに開いて見る状態を示す斜視図である。
【図９】本発明の他の実施形態に係るファイルの構成部材を展開した状態を示す斜視図である。
【発明を実施するための形態】
【００１６】
以下、本発明のファイルの一実施形態について図面に基づき、詳細に説明する。
【００１７】
図１は本発明の一実施形態に係るファイルの構成部材を展開した状態を示す斜視図、図２は、図１におけるＡ−Ａ断面図である。
【００１８】
本発明の一実施形態に係るファイル１は、図１及び図２に示したように、表表紙１１と、裏表紙１２と、背表紙１３とからなり、背表紙１３は裏表紙１２に連接して一体に形成されている。
【００１９】
表表紙１１及び裏表紙１２は、Ａ版、Ｂ版等の書類等の紙葉類の規格に合わせた大きさの矩形形状として形成されている。表表紙１１は、外面シート及び内面シートの二重構造で、一方の側辺が開口部１４になった袋体状になっており、開口部１４から袋体内部に、背表紙１３の側端部が矢印Ｄ方向に挿入可能になっている。表表紙１１の開口部１４側の側辺には、表表紙１１の上端から下端に至る帯状の長方形として形成された綴じ込み用の綴じ片１５が形成されている。この綴じ片１５は、表表紙１１の内面シートの一側の延出部を山折りに折り曲げて形成されている。
【００２０】
また、背表紙１３と裏表紙１２との連接部２０には、裏表紙１２の上端から下端に至る帯状の長方形として形成された綴じ込み用の綴じ片１７が形成されている。この綴じ片１７は、背表紙１３と裏表紙１２との連接部分を山折りにして形成されている。
【００２１】
綴じ片１５と綴じ片１７は、対になって、紙葉類の端部をその間に挟み込んで綴じ紐で綴じ込んで固定するための固定部材となるものである。綴じ片１５、綴じ片１７には、紙葉類に形成された綴じ孔に対応して内綴じ紐を挿通するための一対の貫通孔からなる綴じ孔１６、１８がそれぞれ設けられている。
【００２２】
表表紙１１の外面シート及び内面シートのうち、少なくとも外面シートは、ある程度の剛性を有する厚紙や樹脂シートなどで構成することが好ましい。
袋体状になった表表紙１１の開口部１４とは反対側の側部における長手方向（図の上下方向）の中央には貫通孔１９が設けられている。
【００２３】
裏表紙１２は、表表紙１１と同じく、外面シート及び内面シートの二重構造で、内部が空間になっており、裏表紙１２における背表紙１３との連接部２０とは反対側の側部における長手方向（図の上下方向）の中央には貫通孔２１が設けられている。
【００２４】
裏表紙１２の外面シート及び内面シートのうち、少なくとも外面シートは、ある程度の剛性を有する厚紙や樹脂シートなどで構成することが好ましい。
【００２５】
外紐３１は、表表紙１１の袋体状になった内部を貫通するように取り付けられ、一端部３１ａが二股に分かれた状態にして背表紙１３の側端部１３ａ，１３ａの２か所で固着されている。
側端部１３ａ，１３ａでの固着方法は、外紐３１をある程度強く引っ張った時にも背表紙１３の側端部１３ａ，１３ａから外れない程度の強度で固着される必要がある。
【００２６】
固着する方法としては、例えば、図３に示すように、外紐３１の一端部３１ａには、輪状にした接続紐３２を結び付けるなどして接続される。接続紐３２の輪状部分は、紙シートあるいは樹脂性シートなどよりなる接着シート２５で挟み込まれて、背表紙１３の両面に貼り付けられて、側端部１３ａ，１３ｂの２か所で固着される。このようにして、外紐３１が背表紙１３の側端部１３ａ，１３ｂにある程度の強度で固着される。
【００２７】
なお、上記のように、外紐３１とは別の輪状にした接続紐３２を結び付けるのではなく、外紐３１の一端部分を輪状にして、同様に固着しても良い。
【００２８】
また、固着する方法は、勿論、これに限定されず、接着シート２５を用いることなく、背表紙１３の側端部の一部を折り曲げて接続紐３２の輪状部分を挟み込んで、側端部を背表紙１３に接着するなどして固着するなど、種々の方法がある。
【００２９】
また、外紐３１の他端部３１ｂは、表表紙１１の開口部１４と反対側の端部に設けられた貫通孔１９を貫通して外部に引き出されている。
【００３０】
一方、外紐３３は、裏表紙１２の袋体状になった内部を貫通するように取り付けられ、一端が貫通孔２１を貫通して外部に引き出されている。
【００３１】
内綴じ紐３４は、ほぼ２等分の真ん中部分が、裏表紙１２の袋体状になった内部にある外紐３３の他端の結び目部３３ａで結ばれて、結合される。内綴じ紐３４は、結び目部３３ａで２等分されたそれぞれの先端が引出し孔２２，２２から引き出され、更に、綴じ孔１８，１８に挿通されて取り付けられている。
【００３２】
なお、裏表紙１２は、外面シート及び内面シートの二重構造で、シート全体的に内部が空間になっているが、シート全体的に内部が空間になっている必要はなく、少なくとも外紐３３が内部を貫通することができるようにシートの中央部分をシート面方向に横切る方向（すなわち、背表紙１３が表表紙１１の内部に挿入される方向）に空間があれば良い。
【００３３】
また、背表紙１３には、折り罫１３ｋを多数設けて、紙葉類の増減に対応して折り罫１３ｋで折り曲げて背表紙１３の幅を可変して、背表紙１３の実質的な幅を変更し易くしている。
【００３４】
上記したように、ファイル１は、表表紙１１という第１の構成部材と、連接した裏表紙１２、背表紙１３という第２の構成部材との間を外紐３１によって繋げ、更に、裏表紙１２に内綴じ紐３４及び外紐３１を取り付けて、一つにするように組み合わせる構成のものである。
【００３５】
なお、外紐３１、３３や内綴じ紐３４は、例えば、ポリエステル系合成繊維や紙製などの紐で構成し、また、内綴じ紐３４については、両端部を互いに結合するようにした樹脂製のベルトなどでも良い。
【００３６】
次に、図１、図２に示したファイル１の構成部材を展開した状態から、ファイル１の構成部材を組み合わせ、紙葉類Ｐを綴じ込む方法について説明する。
【００３７】
図４は本発明の一実施形態に係るファイルの構成部材を組み合わせ、紙葉類を綴じ込んだ状態を示す斜視図、図５は図４におけるＢ−Ｂ断面図である。
【００３８】
図１、図２において、外紐３１のうち、表表紙１１の貫通孔１９から外部に引き出された方の他端部３１ｂを矢印Ｅ方向にある程度の強さで引っ張り、外紐３１の一端部３１ａ側に固着された背表紙１３とそれに連接した裏表紙１２を、表表紙１１の開口部１４から内部に挿入させるように引っぱり込む。
【００３９】
図４、図５に示すように、背表紙１３を表表紙１１の袋体内部の挿入させた状態で、背表紙１３の挿入深さを加減することで、背表紙１３の幅Ｗを調整しながら、綴じ込む所定量の紙葉類Ｐの端部を綴じ片１５と綴じ片１７の間に挟んだ状態で、綴じ片１７の綴じ孔１８，１８から引き出された内綴じ紐３４の両先端を、紙葉類Ｐの綴じ孔に挿通して、更に、綴じ片１５の綴じ孔１６，１６に順次挿通してから結んで綴じ込む。
このように内綴じ紐３４の両先端を結んで綴じ込んだ状態において、内綴じ紐３４の結び目Ｇとは反対側については、外紐３３との結び目部３３ａまでの長さにある程度の余裕長さ部分が必要である。この余裕長さ部分となる内綴じ紐３４の結び目部３３ａまでの長さは、後に詳述する綴じ込んだ紙葉類Ｐを平らに開いて見るようにする場合に必要となる長さ部分である。
【００４０】
次に、図４、図５に示したファイル１の構成部材を組み合わせ、紙葉類Ｐを綴じ込んだ状態から、表紙を閉じて結合する方法について説明する
【００４１】
図６は本発明の一実施形態に係るファイルに紙葉類を綴じ込み、表紙を閉じた状態を示す斜視図、図７は図６におけるＣ−Ｃ断面図である。
【００４２】
図４、図５において、紙葉類Ｐを内綴じ紐３４で綴じ込んだ後、図６、図７に示すように、紙葉類Ｐを表表紙１１と裏表紙１２の間に挟むようにして閉じる。そして、表表紙１１側から外部に引き出された外紐３１の端部と、裏表紙１２側から外部に引き出された外紐３３の端部とを結んで、表表紙１１と裏表紙１２が閉じた状態で開かないように結合する。
【００４３】
次に、ファイル１に紙葉類Ｐを綴じ込んで表表紙１１と裏表紙１２を閉じた状態で、綴じ込んだ紙葉類Ｐを平らに開いて見るようにする場合の操作について説明する。
【００４４】
図６、図７に示すように、表表紙１１と裏表紙１２を閉じて、外紐３１、３３の端部を結んだ状態で、外紐３１、３３の結び目Ｆをほどいて、表表紙１１と裏表紙１２を開く。すると、紙葉類Ｐを綴じ込んでいる内綴じ紐３４の結び目Ｇはそのままで、内綴じ紐３４は、内綴じ紐３４の結び目Ｇとは反対側である外紐３３に結ばれている結び目部３３ａ側へ引っ張っている力が緩む。内綴じ紐３４の結び目Ｇとは反対側へ引っ張っている力が緩むことで、図４において、表表紙１１の袋体内部に挿入されている背表紙１３は、それに連接して裏表紙１２と一体となって矢印Ｈ方向に引き出すことが可能になる。
【００４５】
ここで、前述した内綴じ紐３４の結び目部３３ａまでの余裕長さ部分があることで、内綴じ紐３４の結び目Ｇはそのままで、背表紙１３、裏表紙１２を表表紙１１の袋状内部から矢印Ｈ方向にある程度の長さを引き出すことが可能になる。
また、内綴じ紐３４を伸縮自在な材質のものにすることで、より余裕長さ部分を確保することができる。
また、内綴じ紐３４を白色の材質にすることで、紐のコピー映りを軽減することができる。
【００４６】
そうすると、綴じ片１５と綴じ片１７との間隔（背表紙の幅）Ｗを広げられるようになる。綴じ片１５と綴じ片１７との間隔Ｗを広げることで、綴じ片１５と綴じ片１７の間に挟まれた状態で綴じ込まれた紙葉類Ｐは、紙葉類Ｐの結束固定された状態が緩み、各紙葉間を任意に開けられる状態になり、図８に示すように、紙葉類Ｐを平らに開いて見られるようになる。
【００４７】
このように、外紐３１、３３の結び目Ｆをほどくことで、紙葉類Ｐを綴じ込んでいる内綴じ紐３４の結び目Ｇはそのままで、紙葉類Ｐを平らに開いて見られるようになる。
【００４８】
上記したように紙葉類Ｐを平らに開いて見た後、再び、紙葉類Ｐを綴じ込む場合には、背表紙１３とそれに連接する裏表紙１２を、矢印Ｄ方向にずらして、再び、表表紙１１の袋体内部に挿入し、綴じ片１５と綴じ片１７との間隔を狭めて、綴じ片１５と綴じ片１７との間に紙葉類Ｐの端部を挟み込んで固定し、更に、外紐３１、外紐３３を互いに反対方向に引っ張りながら絞め込んで、紙葉類Ｐを表表紙１１と裏表紙１２とで挟むようにして絞め込んで、最後に、外紐３１と外紐３３とを結んで、再び、表表紙１１と裏表紙１２が閉じた状態で開かないように結合する。
【００４９】
このように、紙葉類Ｐを平らに開いて見た後、紙葉類Ｐを綴じ込んでいる内綴じ紐３４の結び目Ｇはそのままで、再び、紙葉類Ｐを綴じ込み、表表紙１１と裏表紙１２が開かないように結合することができる。
【００５０】
以上のように、本発明の一実施形態に係るファイルは、内綴じ紐３４が結ばれることで紙葉類Ｐが結束して綴じ込められ、外紐３１と外紐３３が結ばれることで、表表紙１１と裏表紙１２とが開放しないように結合されるため、紙葉類Ｐの綴じ込みと表表紙１１，裏表紙１２の結合ができる。
【００５１】
また、外紐３１及び外紐３３の結び目Ｆをほどくことで、表表紙１１と裏表紙１２との結合を開放し、同時に綴じ込められた状態の紙葉類Ｐの結束が緩むため、紙葉類Ｐを平らに開いて見る場合に一度の結び目をほどく操作だけで手間を掛けずに簡単に見ることができる。
【００５２】
なお、紙葉類Ｐに新たに紙葉を加えて綴じ込む場合には、図８の状態から内綴じ紐３４の結び目Ｇをほどいて、内綴じ紐３４を、綴じ片１５の綴じ孔１６，１６、紙葉類Ｐの綴じ孔から順次抜いてしまうことにより、従前のファイルと同様に紙葉を追加することができる。
【００５３】
また、上述の実施形態では、貫通孔１９は、表表紙１１の開口部１４とは反対側の側部における上下方向の中央に設けたが、表表紙１１の外面シート側に若干ずらした位置に貫通孔１９を設け、その若干ずらした位置の貫通孔１９から外部に引き出された外紐３１の端部と、外紐３３の端部とを結ぶようにし、更に、外紐３１，３３としてデザイン性のあるものを用いることにより意匠効果を高めることができる。
【００５４】
また、上述の実施形態では、裏表紙１２は、外面シート及び内面シートの二重構造で、内部が空間になっているが、これに限らず、剛性を有する１枚のシートで構成し、内部に空間を設けなくても良い。
この構成では、図９に示すように、裏表紙１２のほぼ中央にシート面を貫通するように貫通孔３５を設け、外紐３３は、貫通孔３５に貫通させて、外部に引き出すようにしている。この場合、貫通孔３５の位置は、縦長の裏表紙１２の長手方向（図の上下方向）のほぼ中央の位置ならば、短手方向（図の左右方向）の多少ずれた位置でも良い。  
【００５５】
本発明に係るファイルは、上述の実施形態に限定されず、本発明の要旨を逸脱することなく、種々の構成を取り得ることは勿論である。
【産業上の利用可能性】
【００５６】
本発明に係るファイルは、書類等の紙葉類の増減に対応して背表紙の幅を可変でき、かつ表表紙及び裏表紙が開放しないように結合するファイルに有用である。
【符号の説明】
【００５７】
１  ファイル
１１  表表紙
１２  裏表紙
１３  背表紙
１３ａ  側端部
１３ｋ  折り罫
１４  開口部
１５  綴じ片
１６  綴じ孔
１７  綴じ片
１８  綴じ孔
１９  貫通孔
２０  連接部
２１  貫通孔
２２  引出し孔
２５  接着シート
３１  外紐
３１ａ  一端部
３１ｂ  他端部
３２  接続紐
３３  外紐
３３ａ  結び目部
３４  内綴じ紐
３５  貫通孔
Ｐ  紙葉類
【図１】
0005308490.tif 000002
【図２】
0005308490.tif 000003
【図３】
0005308490.tif 000004
【図４】
0005308490.tif 000005
【図５】
0005308490.tif 000006
【図６】
0005308490.tif 000007
【図７】
0005308490.tif 000008
【図８】
0005308490.tif 000009
【図９】
0005308490.tif 000010